(57)【要約】【課題】  表示画面のサイズの変更時における情報処理装置の使い勝手の向上を図る。【解決手段】  サイズの変更により表示領域６に表示された表示画面５の部分に対応するようにタブレット４の座標変換を行い、表示領域より表示画面のサイズが大きくされ表示画面の一部が表示領域に表示されない非表示部分５ａとして存在するときに、タブレットのうち表示画面の上記非表示部分に対応する側の端部を、表示画面の移動を可能とする移動操作領域１５として設定した。【選択図】図１０
2005321972.tif 000002
【特許請求の範囲】
【請求項１】
表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置であって、
サイズの変更により表示領域に表示された表示画面の部分に対応するようにタブレットの座標変換を行い、
表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定した
ことを特徴とする情報処理装置。
【請求項２】
上記ディスプレイとタブレットを一体に形成した
ことを特徴とする請求項１に記載の情報処理装置。
【請求項３】
ディスプレイに対して表示画面の向きの変更が可能とされ、
表示画面の向きに応じてタブレットの座標の向きを変更するようにした
ことを特徴とする請求項１に記載の情報処理装置。
【請求項４】
タブレットの上記移動操作領域に対する操作位置に応じて表示画面の移動速度を変更するようにした
ことを特徴とする請求項１に記載の情報処理装置。
【請求項５】
表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理方法であって、
サイズの変更により表示領域に表示された表示画面の部分に対応するようにタブレットの座標変換を行い、
表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定した
ことを特徴とする情報処理装置における処理方法。
【請求項６】
表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理プログラムであって、
サイズの変更により表示領域に表示された表示画面の部分に対応するようにタブレットの座標変換を行う座標変換工程と、
表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定する領域設定工程とを備えた
ことを特徴とする情報処理装置における処理プログラム。
【請求項７】
表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置であって、
サイズの変更により表示領域に表示された表示画面の部分に対応するようにタブレットの座標変換を行い、
表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定した
ことを特徴とする情報処理装置。
【請求項８】
タブレットの上記特別操作領域を、表示画面に対して実行される処理が異なる複数の部分に分割した
ことを特徴とする請求項７に記載の情報処理装置。
【請求項９】
表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理方法であって、
サイズの変更により表示領域に表示された表示画面の部分に対応するようにタブレットの座標変換を行い、
表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定した
ことを特徴とする情報処理装置における処理方法。
【請求項１０】
表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理プログラムであって、
サイズの変更により表示領域に表示された表示画面の部分に対応するようにタブレットの座標座標変換を行う座標変換工程と、
表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定する領域設定工程とを備えた
ことを特徴とする情報処理装置における処理プログラム。
【発明の詳細な説明】
【技術分野】
【０００１】
本発明は情報処理装置、情報処理装置における処理方法及び情報処理装置における処理プログラムについての技術分野に関する。詳しくは、表示画面のサイズの変更時にタブレットの所定の部分を所定の操作領域として設定し、情報処理装置の使い勝手の向上を図る技術分野に関する。
【背景技術】
【０００２】
パーソナルコンピューターに代表される情報処理装置は、一般に、ディスプレイを有し、このディスプレイに各種の情報を有する表示画面が表示される。
【０００３】
このようなディスプレイを有する情報処理装置には、ディスプレイに表示される表示画面に対して指や専用の入力ペン（スタイラス）を用いることにより選択操作や入力操作等の種々の操作を行うことができるものがあり、入力ペン等による操作は、所定の座標系を有するタブレット（タッチパネル）に対して行う。
【０００４】
タブレット及びディスプレイを有する情報処理装置としては、ディスプレイとタブレットがそれぞれ独立して設けられているものの他、ディスプレイとタブレットが一体に形成されたものがある（例えば、特許文献１参照）。
【０００５】
このようなディスプレイとタブレットを有する情報処理装置において、入力ペン等によりタブレットの所望の箇所（ポイント）に対して操作を行うと、タブレットの入力ペン等により操作したポイントに対応する表示画面の部分に対して、操作に応じた処理、例えば、文字入力等が行われる。
【０００６】
【特許文献１】特開２００１−３１２３４０号公報
【発明の開示】
【発明が解決しようとする課題】
【０００７】
ところで、上記のような情報処理装置には、ディスプレイが複数の解像度を有しており、表示画面を拡大又は縮小することにより、表示画面の表示が可能な最大範囲とされるディスプレイの表示領域に対する表示画面のサイズの変更が可能とされたものがある。
【０００８】
表示画面のサイズが変更された場合に、そのサイズがディスプレイの表示領域より大きくなったときには、表示画面の全体が表示されず、表示画面の一部が表示領域に表示されない所謂パニング状態となる。
【０００９】
ところが、従来の情報処理装置にあっては、上記のようなパニング状態が生じた場合において、表示画面の全体に対してタブレットの座標系がマッピングされているため、例えば、表示画面の右端部又は左端部が表示領域に表示されない場合において、使用者が表示領域に表示された表示画面のうちの左端部又は右端部に対する処理を行おうとして、タブレットの右端部又は左端部をタップしたときに、表示画面のうち表示領域に表示されていない非表示部分である右端部又は左端部に対する処理が行われてしまう。また、パニング状態において、例えば、表示画面の上端部又は下端部が表示領域に表示されない場合に、タブレットの上端部又は下端部をタップしたときにも、同様に、表示画面のうち表示領域に表示されていない非表示部分である上端部又は下端部に対する処理が行われてしまう。
【００１０】
従って、使用者が表示画面のうちの処理対象として意図した部分に対して処理が行われないという不具合がある。
【００１１】
また、パニングが生じた場合に、使用者が、表示画面のうちディスプレイの表示領域に表示されていない非表示部分を表示領域に表示しようとする場合には、表示画面を移動させる必要がある。
【００１２】
このとき、表示画面の移動は相対座標のポインティングデバイスであるマウス等により、表示画面上のポインターを表示領域の外側に移動させることにより行うことが可能であるが、絶対座標のポインティングデバイスであるタブレットを用いて行うことはできない。
【００１３】
従って、使用者は、表示画面の移動を行おうとする都度、入力ペンをマウスに持ち替えて操作する必要が生じ、操作性が悪いという問題がある。
【００１４】
一方、表示画面のサイズが変更された場合に、そのサイズがディスプレイの表示領域より小さくなったときには、表示画面の全体が表示されるが、ディスプレイの表示領域に表示画面が表示されない無表示エリアが存在することになる。
【００１５】
ところが、従来の情報処理装置にあっては、上記のような無表示エリアが生じた場合にも表示画面の全体に対してタブレットの座標系がマッピングされているため、表示画面のサイズが表示領域より大きくなりパニング状態となった場合と同様に、使用者が表示画面のうちの処理対象として意図した部分に対して処理が行われないという不具合がある。
【００１６】
また、表示画面のサイズがディスプレイの表示領域より小さくなったときに生じる無表示エリアは、使用者にとって何らの機能をも発揮しない無駄な領域となってしまう。
【００１７】
そこで、本発明情報処理装置、情報処理装置における処理方法及び情報処理装置における処理プログラムは、上記した問題点を克服し、表示画面のサイズの変更時における情報処理装置の使い勝手の向上を図ることを課題とする。
【課題を解決するための手段】
【００１８】
本発明情報処理装置は、上記した課題を解決するために、サイズの変更により表示領域に表示された表示画面の部分に対応するようにタブレットの座標変換を行い、表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定したものである。
【００１９】
本発明情報処理装置における処理方法は、上記した課題を解決するために、サイズの変更により表示領域に表示された表示画面の部分に対応するようにタブレットの座標変換を行い、表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定したものである。
【００２０】
本発明情報処理装置における処理プログラムは、上記した課題を解決するために、サイズの変更により表示領域に表示された表示画面の部分に対応するようにタブレットの座標変換を行う座標変換工程と、表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定する領域設定工程とを設けたものである。
【００２１】
従って、本発明情報処理装置、情報処理装置における処理方法及び情報処理装置における処理プログラムにあっては、表示画面上の処理対象位置とタブレットの操作位置とが一致されると共に移動操作領域に対する操作により表示画面が移動される。
【００２２】
別の本発明情報処理装置は、上記した課題を解決するために、サイズの変更により表示領域に表示された表示画面の部分に対応するようにタブレットの座標変換を行い、表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定したものである。
【００２３】
別の本発明情報処理装置における処理方法は、上記した課題を解決するために、サイズの変更により表示領域に表示された表示画面の部分に対応するようにタブレットの座標変換を行い、表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定したものである。
【００２４】
別の本発明情報処理装置における処理プログラムは、上記した課題を解決するために、サイズの変更により表示領域に表示された表示画面の部分に対応するようにタブレットの座標座標変換を行う座標変換工程と、表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定する領域設定工程とを設けたものである。
【００２５】
従って、別の本発明情報処理装置、情報処理装置における処理方法及び情報処理装置における処理プログラムにあっては、表示画面上の処理対象位置とタブレットの操作位置とが一致されると共に特別操作領域に対する操作により表示画面に対する所定の処理が実行される。
【発明の効果】
【００２６】
本発明情報処理装置は、表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置であって、サイズの変更により表示領域に表示された表示画面の部分に対応するようにタブレットの座標変換を行い、表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定したことを特徴とする。
【００２７】
従って、使用者がタブレットに対して操作を行ったポイントが表示画面上のポイントと一致し、使用者が意図した操作に応じた所定の処理を実行することができる。
【００２８】
また、タブレットの移動操作領域に対する操作により表示画面を移動させることができるため、表示画面の移動を相対座標のポインティングデバイスであるマウス等により行う必要がなく、使用者が表示画面の移動を行おうとする都度、マウスを把持して操作するような煩わしい操作をしなくて済み、情報処理装置の操作性の向上を図ることができる。
【００２９】
請求項２に記載した発明にあっては、上記ディスプレイとタブレットを一体に形成したので、表示画面を移動させようとしたときに、見かけ上、表示画面上を入力ペン等により操作することによりタブレットに対する操作となるため、操作性の向上及び操作の確実性の向上を図ることができる。
【００３０】
請求項３に記載した発明にあっては、ディスプレイに対して表示画面の向きの変更が可能とされ、表示画面の向きに応じてタブレットの座標の向きを変更するようにしたので、使用者が操作を行ったポイントが表示画面上のポイントと一致し、表示画面の特定のポイントを操作したときに、向きの変更が行われる前のポイントに対する処理が行われるというような不具合を生じることはなく、使用者が意図した操作に応じた所定の処理を実行することができる。
【００３１】
請求項４に記載した発明にあっては、タブレットの上記移動操作領域に対する操作位置に応じて表示画面の移動速度を変更するようにしたので、使用者は移動操作領域の操作位置を選択することにより、表示画面を所望の速度で移動させることができ、表示画面の移動に関して情報処理装置の使い勝手の向上を図ることができる。
【００３２】
本発明情報処理装置における処理方法は、表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理方法であって、サイズの変更により表示領域に表示された表示画面の部分に対応するようにタブレットの座標変換を行い、表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定したことを特徴とする。
【００３３】
従って、使用者がタブレットに対して操作を行ったポイントが表示画面上のポイントと一致し、使用者が意図した操作に応じた所定の処理を実行することができる。
【００３４】
また、タブレットの移動操作領域に対する操作により表示画面を移動させることができるため、表示画面の移動を相対座標のポインティングデバイスであるマウス等により行う必要がなく、使用者が表示画面の移動を行おうとする都度、マウスを把持して操作するような煩わしい操作をしなくて済み、情報処理装置の操作性の向上を図ることができる。
【００３５】
本発明情報処理装置における処理プログラムは、表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理プログラムであって、サイズの変更により表示領域に表示された表示画面の部分に対応するようにタブレットの座標変換を行う座標変換工程と、表示領域より表示画面のサイズが大きくされ表示画面の一部が表示領域に表示されない非表示部分として存在するときに、タブレットのうち表示画面の上記非表示部分に対応する側の端部を、表示画面の移動を可能とする移動操作領域として設定する領域設定工程とを備えたことを特徴とする。
【００３６】
従って、使用者がタブレットに対して操作を行ったポイントが表示画面上のポイントと一致し、使用者が意図した操作に応じた所定の処理を実行することができる。
【００３７】
また、タブレットの移動操作領域に対する操作により表示画面を移動させることができるため、表示画面の移動を相対座標のポインティングデバイスであるマウス等により行う必要がなく、使用者が表示画面の移動を行おうとする都度、マウスを把持して操作するような煩わしい操作をしなくて済み、情報処理装置の操作性の向上を図ることができる。
【００３８】
別の本発明情報処理装置は、表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置であって、サイズの変更により表示領域に表示された表示画面の部分に対応するようにタブレットの座標変換を行い、表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定したことを特徴とする。
【００３９】
従って、使用者がタブレットに対して操作を行ったポイントが表示画面上のポイントと一致し、使用者が意図した操作に応じた所定の処理を実行することができる。
【００４０】
また、タブレットの特別操作領域の設定により、使用者にとって何らの機能をも発揮しない無駄な領域がなくなり、また、特別操作領域に割り当てられた機能であれば、その機能を実行するための画面等を新たに開くというような作業を必要とせず、情報処理装置の使い勝手の向上を図ることができる。
【００４１】
請求項８に記載した発明にあっては、タブレットの上記特別操作領域を、表示画面に対して実行される処理が異なる複数の部分に分割したので、複数の機能の実行を可能とすることにより、使い勝手の向上を図ることができる。
【００４２】
別の本発明情報処理装置における処理方法は、表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理方法であって、サイズの変更により表示領域に表示された表示画面の部分に対応するようにタブレットの座標変換を行い、表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定したことを特徴とする。
【００４３】
従って、使用者がタブレットに対して操作を行ったポイントが表示画面上のポイントと一致し、使用者が意図した操作に応じた所定の処理を実行することができる。
【００４４】
また、タブレットの移動操作領域に対する操作により表示画面を移動させることができるため、表示画面の移動を相対座標のポインティングデバイスであるマウス等により行う必要がなく、使用者が表示画面の移動を行おうとする都度、マウスを把持して操作するような煩わしい操作をしなくて済み、情報処理装置の操作性の向上を図ることができる。
【００４５】
別の本発明情報処理装置における処理プログラムは、表示画面の表示可能範囲とされる表示領域を有するディスプレイと所定の座標系を有し手書き操作が可能なタブレットとを備え、該タブレットに対する操作によりディスプレイに表示される表示画面に対して所定の処理を行うことが可能とされると共に表示画面のサイズの変更が可能とされた情報処理装置における処理プログラムであって、サイズの変更により表示領域に表示された表示画面の部分に対応するようにタブレットの座標座標変換を行う座標変換工程と、表示領域より表示画面のサイズが小さくされ表示領域の一部が表示画面の存在しない無表示エリアとされたときに、タブレットのうち表示領域の上記無表示エリアに対応する部分を、表示画面に対して所定の処理を実行する特別操作領域として設定する領域設定工程とを備えたことを特徴とする。
【００４６】
従って、使用者がタブレットに対して操作を行ったポイントが表示画面上のポイントと一致し、使用者が意図した操作に応じた所定の処理を実行することができる。
【００４７】
また、タブレットの移動操作領域に対する操作により表示画面を移動させることができるため、表示画面の移動を相対座標のポインティングデバイスであるマウス等により行う必要がなく、使用者が表示画面の移動を行おうとする都度、マウスを把持して操作するような煩わしい操作をしなくて済み、情報処理装置の操作性の向上を図ることができる。
【発明を実施するための最良の形態】
【００４８】
以下に、本発明情報処理装置、情報処理装置における処理方法及び情報処理装置における処理プログラムの最良の形態を添付図面に従って説明する。
【００４９】
尚、本発明情報処理装置は、パーソナルコンピューター等の情報処理装置、ＰＤＡ（Personal Digital Assistant）、ネットワーク端末、携帯情報端末、ワークステーション、携帯電話等の各種の情報処理装置に広く適用することができ、本発明処理方法及び処理プログラムは、これらの各種の情報処理装置における処理方法及び処理プログラムに広く適用することができる。
【００５０】
情報処理装置１は筐体２に所要の各部が配置されて成る（図１参照）。筐体２は、例えば、横長の扁平な矩形状に形成され、前面２ａにディスプレイ３、例えば、液晶パネルが設けられている。
【００５１】
情報処理装置１にあっては、ディスプレイ３に所定の座標系を有するタブレット（タッチパネル）４が一体に形成されている。従って、ディスプレイ３に表示された表示画面５の所定の位置、即ち、タブレット４の所定の位置を指や図示しない専用の入力ペン（スタイラス）によってタップすることにより選択操作や入力操作等の各種の操作を行うことができる。
【００５２】
ディスプレイ３は、筐体２の前面２ａにおいて露出された部分が、表示画面５を表示可能な表示領域６とされている。即ち、表示領域６は表示画面５を表示することのできる最大範囲である。
【００５３】
表示画面５は、情報処理装置１に実装された各ソフトウェアを実行することにより表示され、例えば、図２に示すように、文字情報、数字情報、記号情報等を入力することのできる表示画面５が表示される。このような表示画面５の表示は、例えば、情報処理装置１の電源投入後に表示される初期画面上に表示されるソフトウェアを実行するための各アイコンを、指や専用の入力ペンによって２回連続してタップしダブルクリックすることにより行われる。
【００５４】
筐体２の前面２ａの所定の位置には、複数の操作釦７、７、・・・が設けられている（図１参照）。操作釦７、７、・・・としては、例えば、センター釦７ａ、左釦７ｂ、右釦７ｃ、ズーム釦７ｄ、ローテーション釦７ｅ、エンター釦７ｆ、カーソルキー７ｇ、ポインティングデバイス７ｈ、ファンクション選択釦７ｉ、起動釦７ｊ、輝度変更釦７ｋ等が設けられている。
【００５５】
センター釦７ａ、左釦７ｂ、右釦７ｃはそれぞれマウスの各釦に相当する釦であり、ズーム釦７ｄはディスプレイ３に表示される表示画面５の拡大縮小を行う釦であり、ローテーション釦７ｅは表示画面５を９０°回転させる釦であり、エンター釦７ｆはキーボードのエンターキーに相当し操作の実行や確定を行う釦であり、カーソルキー７ｇはディスプレイ３に表示されるカーソルを上下左右に移動させる等の釦であり、ポインティングデバイス７ｈはディスプレイ３に表示されるポインターを移動させる等の釦であり、ファンクション選択釦７ｉは出力される音量の変更や外付けのディスプレイへの出力の切替等を行う釦であり、起動釦７ｊは特定のソフトウェアを起動する釦であり、輝度変更釦７ｋはディスプレイ３の輝度を変更する釦である。
【００５６】
情報処理装置１にあっては、上記したように、ディスプレイ３に表示される表示画面５の向きをローテーション釦７ｅを操作することにより９０°回転させることができる。例えば、図２に示す横向き画面の状態においてローテーション釦７ｅを操作すると表示画面５が９０°回転されて縦向き画面の状態となり（図３参照）、図３に示す縦向き画面の状態においてローテーション釦７ｅを操作すると表示画面５が９０°回転されて横向き画面の状態となる（図２参照）。
【００５７】
表示画面５の向きの変更時には、ディスプレイ３と一体に形成されているタブレット４の座標系も表示画面５の向きに対応して９０°回転される。従って、使用者が操作を行ったポイントが表示画面５上のポイントと一致し、例えば、表示画面５の左上のポイントが操作されたときに、向きの変更が行われる前の左下のポイントに対する処理が行われるというような不具合を生じることはなく、使用者が意図した操作に応じた所定の処理が行われる。
【００５８】
尚、表示画面５の向きが横向き画面の状態から縦向き画面の状態に変更されたときには、センター釦７ａ、左釦７ｂ、右釦７ｃの機能とファンクション選択釦７ｉ、起動釦７ｊ、輝度変更釦７ｋの機能とが入れ替わり、センター釦７ａ、左釦７ｂ、右釦７ｃがそれぞれ起動釦７ｊ、ファンクション選択釦７ｉ、輝度変更釦７ｋとして機能し、ファンクション選択釦７ｉ、起動釦７ｊ、輝度変更釦７ｋがそれぞれ左釦７ｂ、センター釦７ａ、右釦７ｃとして機能するようにプログラムされている。
【００５９】
情報処理装置１にあっては、上記したように、ディスプレイ３に表示される表示画面５のサイズをズーム釦７ｄを操作することにより変更することができる。解像度としては、例えば、５段階を有しており、６４０×４８０ドット（ＶＧＡ）、８００×６００ドット（ＳＶＧＡ）、１０２４×７６８ドット（ＸＧＡ）、１２８０×１０２４ドット（ＳＸＧＡ）及び１２００×１６００ドット（ＵＸＧＡ）が存在する。
【００６０】
ズーム釦７ｄを操作すると、図４に示すように、解像度選択フレーム８がディスプレイ３に表示され、解像度選択フレーム８に表示される所望の解像度を選択することにより表示画面５のサイズが変更される。尚、ズーム釦７ｄを操作し、解像度選択フレーム８がディスプレイ３に表示された状態において、何れの解像度も選択しなかった場合には、自動的に、例えば、ＶＧＡ、ＳＶＧＡ又はＸＧＡの解像度が選択されて、表示画面５がズーム釦７ｄを操作する前とは異なるサイズに変更される。
【００６１】
情報処理装置１にあっては、ＶＧＡ又はＳＶＧＡが選択されると、ディスプレイの解像度より表示画面５の解像度の方が小さくなり、ディスプレイ３の表示領域６に対して表示画面５のサイズが小さくなる。従って、この場合には、表示領域６に表示画面５の全体が表示され、表示領域６の一部は表示画面５が表示されない無表示エリア６ａとされる（図５参照）。
【００６２】
一方、ＸＧＡ、ＳＸＧＡ又はＵＸＧＡが選択されると、ディスプレイの解像度より表示画面５の解像度の方が大きくなり、ディスプレイ３の表示領域６に対して表示画面５のサイズが大きくなる。従って、この場合には、表示領域６に表示画面５の全体が表示されず、表示画面５の一部が非表示である所謂パニング状態となる。このときディスプレイ３には、図６に示すように、補助フレーム９が表示される。
【００６３】
補助フレーム９は、表示画面５の表示領域６に対する現在の表示位置を示す機能を有し、補助フレーム９により、使用者が現在どのようなパニング状態であるかを認識することができる。補助フレーム９には縮小された状態で表示画面５の全体が表示されると共に表示領域６上の現在の表示画面５の表示部分が枠９ａによって示される。従って、使用者は枠９ａ内の部分が現在の表示部分であり、枠９ａ外の部分が非表示部分５ａ（図６に２点鎖線で示す部分）であることを認識することができる。
【００６４】
補助フレーム９には、マウス操作を行うことができるマウスモード選択釦１０、表示画面５を掴んで移動させることができるムーブモード選択釦１１及び表示領域６のサイズに合わせて一時的に表示画面５を縮小表示させるフィットモード選択釦１２が表示される。尚、フィットモード選択釦１２に対する操作によりフィットモードが設定された状態において、表示画面５上の任意のポイントをクリックすると、クリックしたポイントを中心として元の解像度に戻るようになっている。
【００６５】
表示画面５のサイズの変更時には、ディスプレイ３と一体に形成されているタブレット４の座標系が、表示領域６に表示された表示画面５の部分に対応して変換される（座標変換工程）。例えば、図５に示すように、表示画面５のサイズが縮小され無表示エリア６ａが形成されたときには、表示領域６の無表示エリア６ａを除いた部分のみにタブレット４の座標が割り当てられ、図６に示すように、表示画面５のサイズが拡大されパニング状態となったときには、表示領域６に表示された部分、即ち、非表示部分５ａを除いた部分のみにタブレット４の座標が割り当てられる。
【００６６】
従って、使用者が操作を行ったポイントが表示画面５上のポイントと一致し、使用者が意図した操作に応じた所定の処理が行われる。
【００６７】
情報処理装置１にあっては、表示画面５のサイズが表示領域６より大きくされたときには、タブレット４のうち、表示画面５の非表示部分５ａに対応する側の端部が、表示画面５を移動させるための移動操作領域１３として設定される（領域設定工程）。
【００６８】
例えば、図７に示すように、表示画面５の上端部及び左端部が非表示部分５ａとされたときには、非表示部分５ａ側の端部であるタブレット４の上端部及び左端部がそれぞれ移動操作領域１３ａ、１３ｂとして設定され、図８に示すように、表示画面５の下端部及び右端部が非表示部分５ａとされたときには、非表示部分５ａ側の端部であるタブレット４の下端部及び右端部がそれぞれ移動操作領域１３ｃ、１３ｄとして設定される。
【００６９】
また、例えば、図９に示すように、表示画面５の回りの部分の全て、即ち、上下両端部及び左右両端部が非表示部分５ａとされたときには、非表示部分５ａ側の端部であるタブレット４の上下両端部及び左右両端部がそれぞれ移動操作領域１３ａ、１３ｃ、１３ｂ、１３ｄとして設定される。
【００７０】
使用者は移動操作領域１３を、表示画面５上に表示されるポインター１４によって操作することにより表示画面５を任意の方向へ移動させることができる。例えば、ポインティングデバイス７ｈを用いて移動操作領域１３ａにポインター１４を移動させると（図１０参照）、表示画面５が下方へ移動され、表示画面５の上端側の非表示部分５ａが表示領域６に表示される。同様に、移動操作領域１３ｂ、移動操作領域１３ｃ又は移動操作領域１３ｄにポインター１４を移動させると、それぞれ表示画面５が右方、上方又は左方へ移動され、表示画面５の左端側の非表示部分５ａ、下端側の非表示部分５ａ又は右端側の非表示部分５ａがそれぞれ表示領域６に表示される。
【００７１】
このとき移動操作領域１３のうち、より外側の部分を操作することにより表示画面５が高速で移動され、より内側の部分を操作することにより表示画面５が低速で移動される。従って、使用者は、移動操作領域１３の操作位置を選択することにより、表示画面５を所望の速度で移動させることができ、表示画面５の移動に関して情報処理装置１の使い勝手の向上を図ることができる。
【００７２】
一方、表示画面５のサイズが表示領域６より小さくされたときには、タブレット４のうち、無表示エリア６ａに対応する部分が、表示画面５に対して所定の処理を実行するための特別操作領域１５として設定される。
【００７３】
例えば、図１１に示すように、表示画面５が表示領域６に対して左上に寄った状態で表示されたときには、タブレット４のうち、表示画面５の下側の部分及び右側の部分に対応する部分が特別操作領域１５として設定され、図１２に示すように、表示画面５が表示領域６に対して右下に寄った状態で表示されたときには、タブレット４のうち、表示領域６の上側の部分及び左側の部分が特別操作領域１５として設定され、図１３に示すように、表示画面５が表示領域６に対して中央に表示されたときには、タブレット４のうち、表示画面５の外周側の全ての部分が特別操作領域１５として設定される。
【００７４】
特別操作領域１５は、処理内容が異なる複数の領域に分割されている。表示画面５が表示領域６に対して中央に表示された場合を例として示すと、図１４に示すように、例えば、表示領域６の各コーナーと各コーナー間の部分の８つの部分１５ａ、１５ｂ、１５ｃ、１５ｄ、１５ｅ、１５ｆ、１５ｇ、１５ｈに分割され、これらの各部分１５ａ乃至１５ｈをポインター１４を宛ってクリック操作することにより所定の処理が行われる。
【００７５】
例えば、部分１５ａを操作すると、直前に表示されていた表示画面５が表示される「戻る」機能が実行され、部分１５ｂを操作すると、次の表示画面５が表示される「進む」機能が実行され、部分１５ｃを操作すると、表示画面５の表示を終了する「閉じる」機能が実行され、部分１５ｄを操作すると、新たなアプリケーションソフトウェアが起動される「ソフトウエア起動」機能が実行され、部分１５ｅ、１５ｆ、１５ｇ、１５ｈを操作すると、それぞれ表示画面５が操作に応じた方向へスクロールされる「スクロール」機能が実行される。
【００７６】
このように特別操作領域１５を分割して複数の機能の実行を可能とすることにより、使い勝手の向上を図ることができる。
【００７７】
こられの部分１５ａ乃至１５ｈに割り当てられた上記した各機能は一例であり、使用者の使い勝手等を考慮して任意に設定することが可能である。また、特別操作領域１５の領域の分割数も任意に定めればよく、例えば、図１１及び図１２に示した場合のような、表示画面５が一方に偏って表示されたときには、表示領域６のコーナーに隣接する部分の３つの部分に分割することが可能である。
【００７８】
また、特別操作領域１５を分割することなく１つのみ設定してもよい。
【００７９】
さらに、特別操作領域１５には、ポインター７ｈを用いて操作するときの方向やポインター７ｈの動きに応じて所定の処理が実行されるような機能を割り当てることも可能である。
【００８０】
情報処理装置１は、ディスプレイを有する他の表示装置１００に接続可能とされており、他の表示装置１００との接続は、例えば、情報処理装置１に接続されるポートリプリケーター２００を介して行われる（図１５参照）。
【００８１】
情報処理装置１が他の接続装置１００と接続された状態においては、タブレット４の座標は、情報処理装置１の表示画面５又は他の接続装置１００の表示画面のうち、タブレット４と関連付けられた一方に対してマッピングされるようにしてもよく、また、情報処理装置１の表示画面５及び他の接続装置１００の表示画面の双方に対応するようにマッピングされるようにしてもよい。
【００８２】
このように情報処理装置１に他の接続装置１００が接続されている場合においても、上記した表示画面の向きの変更及びサイズの変更時における各処理を適用することができる。
【００８３】
尚、他の接続装置は１つである場合に限られることはなく、他の接続装置が２つ以上存在する場合においても上記した各処理を適用することができる。
【００８４】
次に、上記した表示画面５に対する各処理に関して情報処理装置１に設けられた各部の構成について説明する（図１６参照）。
【００８５】
ソフトウエア階層には座標変換モジュール１６が位置されており、該座標変換モジュール１６によってタブレット４が有する座標の変換に関する各制御が行われる。座標変換モジュール１６はキーボードドライバー１７、ポインティングデバイスドライバー１８、タブレットドライバー１９及びグラフィックスドライバー２０との交信の他、ＯＳ（Operating System）２１や共有メモリー２２との交信も行い、これらの各部との間で必要な情報の授受を行う。座標変換モジュール１６は、例えば、ＯＳ２１の起動時に該ＯＳ２１によって自動的に起動される。
【００８６】
キーボードドライバー１７によって表示領域６上に表示可能な図示しない仮想入力用のキーボード２３が制御される。キーボードドライバー１７には、表示画面５上に表示されるカーソルの方向に関する指令信号が座標変換モジュール１６から入力され、ローテーション釦７ｅを操作したときの表示画面５の回転時において、カーソルが表示画面５の向きに応じた移動方向に変換される。
【００８７】
ポインティングデバイスドライバー１８によってポインティングデバイス７ｈが制御される。ポインティングデバイスドライバー１８には、表示画面５上に表示されるポインター１４の方向に関する指令信号が座標変換モジュール１６から入力され、ローテーション釦７ｅを操作したときの表示画面５の回転時において、ポインター１４が表示画面５の向きに応じた移動方向に変換される。
【００８８】
タブレットドライバー１９によってタブレット４が制御される。タブレットドライバー１９には、座標変換に関するＯＮ／ＯＦＦの制御信号が座標変換モジュール１６から入力され、ローテーション釦７ｅを操作したときの表示画面５の回転時及びズーム釦７ｄを操作したときの表示画面５のサイズの変更時において、タブレット４の座標が表示画面５の向き又はサイズに応じて変換される。
【００８９】
グラフィックスドライバー２０によってディスプレイ３と接続されたグラフィックスデバイス２４、例えば、ディスプレイに関するグラフィックアクセラレーターが駆動される。グラフィックスドライバー２０と座標変換モジュール１６の交信により、座標変換モジュール１６がパニング時の表示画面５の表示位置や表示画面５のサイズについてのデーターを取得する。
【００９０】
ＯＳ２１は座標変換モジュール１６と各ドライバー１７、１８、１９、２０との間に介在されている。座標変換モジュール１６は、キーボードドライバー１７及びポインティングデバイスドライバー１８との関連においては、ＯＳ２１を介して各デバイス、例えば、外付けのキーボード、仮想入力用のキーボード、ポインティングデバイス７ｈ等の有無情報を取得し、タブレットドライバー１９及びグラフィックスドライバー２０との関連においては、ＯＳ２１を介して現在の表示画面５の向きや解像度の値等の情報を取得している。
【００９１】
共有メモリー２２にはタブレット４の座標変換情報が記憶されており、座標変換モジュール１６は共有メモリー２２にアクセスすることにより座変換情報を取得して表示画面５の向きの変更時及びサイズの変更時に座標変換を行う。
【００９２】
次に、情報処理装置１における上記した各処理の手順を、図１７のフローチャート図を参照して説明する。
【００９３】
（Ｓ１）状態が変化したか否か、即ち、表示画面の向きが変更されたか否か、表示画面のサイズが変更されたか否か、他の接続装置との接続状態が変更されたか否か、表示画面が表示領域に対して移動されたか否か又はタブレットにおけるポイント位置（タップ位置）が変更されたか否かが検出される。状態が変化したことが検出された場合には、（Ｓ２）乃至（Ｓ６）の何れかに移行し、状態が変化したことが検出されなかった場合には、引き続き検出が行われる。
【００９４】
（Ｓ２）表示画面の向きが変更された場合には、（Ｓ７）に移行する。
【００９５】
（Ｓ３）表示画面のサイズが変更された場合には、（Ｓ８）に移行する。
【００９６】
（Ｓ４）他の接続装置との接続状態が変更されたか否か、即ち、接続装置の数に増減があった場合には、（Ｓ９）に移行する。
【００９７】
（Ｓ５）表示画面が表示領域に対して移動された場合には、（Ｓ１０）に移行する。
【００９８】
（Ｓ６）タブレットにおけるポイント位置が変更された場合には、（Ｓ１２）に移行する。
【００９９】
（Ｓ７）変更された表示画面に関連付けられているデバイス、即ち、キーボードカーソル、ポインティングデバイス、タブレットの向きや移動方向を表示画面の向きに応じて変更する。この変更が終了すると、（Ｓ８）に移行する。
【０１００】
（Ｓ８）タブレットの座標を表示領域に表示された表示画面の範囲に変換する。この変換が終了すると、（Ｓ１）に移行する。
【０１０１】
（Ｓ９）所定の表示画面、即ち、マッピングが必要な１又は２以上の表示画面にタブレットを関連付ける。この関連付けが終了すると、（Ｓ８）に移行する。
【０１０２】
（Ｓ１０）タブレットに関連付けられているディスプレイにおいて、パニング状態が生じているか否かが検出される。パニング状態が検出された場合には（Ｓ１１）に移行し、パニング状態が検出されなかった場合には（Ｓ１）に移行する。
【０１０３】
（Ｓ１１）タブレットの座標を表示領域に表示された表示画面の範囲に変換する。この変換が終了すると、（Ｓ１）に移行する。
【０１０４】
（Ｓ１２）タブレットに関連付けられているディスプレイにおいて、パニング状態が生じているか否かが検出される。パニング状態が検出された場合には（Ｓ１３）に移行し、パニング状態が検出されなかった場合には（Ｓ１５）に移行する。
【０１０５】
（Ｓ１３）ポイント位置が移動操作領域であるか否かが検出される。移動操作領域であることが検出された場合には（Ｓ１４）に移行し、移動操作領域であることが検出されなかった場合には（Ｓ１）に移行する。
【０１０６】
（Ｓ１４）移動操作領域に対するポイント位置に応じた移動速度で表示画面を表示領域に対して移動する。この移動が終了すると、（Ｓ１）に移行する。
【０１０７】
（Ｓ１５）タブレットに関連付けられているディスプレイにおいて、表示画面のサイズが表示領域より小さいか否かが検出される。表示画面のサイズが表示領域より小さいことが検出された場合には（Ｓ１６）に移行し、表示画面のサイズが表示領域より小さいことが検出されなかった場合には（Ｓ１）に移行する。
【０１０８】
（Ｓ１６）ポイント位置が特別操作領域であるか否かが検出される。特別操作領域であることが検出された場合には（Ｓ１７）に移行し、特別操作領域であることが検出されなかった場合には（Ｓ１）に移行し、
（Ｓ１７）ポイントされた特別操作領域が有する機能が実行される。この機能の実行が終了すると、（Ｓ１）に移行する。
【０１０９】
以上に記載した通り、情報処理装置１にあっては、ディスプレイ３の表示領域６より表示画面５のサイズが大きくされたときに、タブレット４に表示画面５の移動を可能とする移動操作領域１３を設定するようにしているため、表示画面５の移動を相対座標のポインティングデバイスであるマウス等により行う必要がなく、使用者が表示画面５の移動を行おうとする都度、入力ペンをマウスに持ち替えて操作するような煩わしい操作をしなくて済み、情報処理装置１の操作性の向上を図ることができる。
【０１１０】
また、情報処理装置１にあっては、ディスプレイ３とタブレット４が一体に形成されているため、表示画面５を移動させようとしたときに、見かけ上、表示画面５上を入力ペン等により操作することによりタブレット４に対する操作となるため、操作性の向上及び操作の確実性の向上を図ることができる。
【０１１１】
さらに、情報処理装置１にあっては、ディスプレイ３の表示領域６より表示画面５のサイズが小さくされたときに、タブレット４に、表示画面５に対して所定の処理を実行する特別操作領域１５を設定するようにしているため、使用者にとって何らの機能をも発揮しない無駄な領域がなくなり、また、特別操作領域１５に割り当てられた機能であれば、その機能を実行するための画面等を新たに開くというような作業を必要とせず、情報処理装置１の使い勝手の向上を図ることができる。
【０１１２】
尚、上記には、例としてディスプレイ３とタブレット４が一体に形成された情報処理装置１を示したが、上記した各処理は、ディスプレイとタブレットが各別に設けられた情報処理装置に適用することも可能である。
【０１１３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１１４】
【図１】図２乃至図１７と共に本発明の最良の形態を示すものであり、本図は情報処理装置の斜視図である。
【図２】表示画面が横向きの状態を示す情報処理装置の正面図である。
【図３】表示画面が縦向きの状態を示す情報処理装置の正面図である。
【図４】解像度選択フレームが表示された状態を示す情報処理装置の正面図である。
【図５】ディスプレイの解像度より表示画面の解像度の方が小さくなり、表示領域に無表示エリアが存在する状態を示す情報処理装置の正面図である。
【図６】ディスプレイの解像度より表示画面の解像度の方が大きくなり、補助フレームが表示された状態を示す情報処理装置の正面図である。
【図７】タブレットの上端部及び左端部が移動操作領域として設定された状態を示す概念図である。
【図８】タブレットの下端部及び右端部が移動操作領域として設定された状態を示す概念図である。
【図９】タブレットの上下両端部及び左右両端部が移動操作領域として設定された状態を示す概念図である。
【図１０】移動操作領域を操作して表示画面を移動させようとするときの状態を示す概念図である。
【図１１】表示画面が表示領域に対して左上に寄って表示されたときに特別操作領域が設定された状態を示す概念図である。
【図１２】表示画面が表示領域に対して右下に寄って表示されたときに特別操作領域が設定された状態を示す概念図である。
【図１３】表示画面が表示領域に対して中央に表示されたときに特別操作領域が設定された状態を示す概念図である。
【図１４】分割された複数の特別操作領域が設定された状態を示す概念図である。
【図１５】情報処理装置に他の表示装置が接続されたときの構成を示す概念図である。
【図１６】表示画面に対する各処理に関して情報処理装置に設けられた各部の構成を示すブロック図である。
【図１７】表示画面に対する各処理の手順を示すフローチャート図である。
【符号の説明】
【０１１５】
１…情報処理装置、３…ディスプレイ、４…タブレット、５…表示画面、５ａ…非表示部分、６…表示領域、６ａ…無表示エリア、１３…移動操作領域、１５…特別操作領域
【図１】
2005321972.tif 000003
【図２】
2005321972.tif 000004
【図３】
2005321972.tif 000005
【図４】
2005321972.tif 000006
【図５】
2005321972.tif 000007
【図６】
2005321972.tif 000008
【図７】
2005321972.tif 000009
【図８】
2005321972.tif 000010
【図９】
2005321972.tif 000011
【図１０】
2005321972.tif 000012
【図１１】
2005321972.tif 000013
【図１２】
2005321972.tif 000014
【図１３】
2005321972.tif 000015
【図１４】
2005321972.tif 000016
【図１５】
2005321972.tif 000017
【図１６】
2005321972.tif 000018
【図１７】
2005321972.tif 000019